(57)【要約】【課題】装着時の疲労感を低減しつつ、適正なフィット感を得ることができるヘッドマウントディスプレイを提供する。【解決手段】ヘッドマウントディスプレイは、第１の表示部と、第２の表示部と、支持部とを具備する。上記第１の表示部は、ユーザの一方の眼に画像を提示することが可能に構成される。上記第２の表示部は、ユーザの他方の眼に画像を提示することが可能に構成される。上記支持部は、バンド部材と、第１の配線部材とを有する。上記バンド部材は、上記第１の表示部と上記第２の表示部との間を相互に連結し、ユーザの後頭部に装着可能に湾曲して形成される。上記第１の配線部材は、上記バンド部材の内部に配置され、上記第１の表示部と上記第２の表示部との間を電気的に接続する。【選択図】図１
2015126397.tif 000002
【特許請求の範囲】
【請求項１】
ユーザの一方の眼に画像を提示可能な第１の表示部と、
ユーザの他方の眼に画像を提示可能な第２の表示部と、
前記第１の表示部と前記第２の表示部との間を相互に連結しユーザの頭部周囲に配置可能に湾曲して形成されたバンド部材と、前記バンド部材の内部に配置され前記第１の表示部と前記第２の表示部との間を電気的に接続する第１の配線部材とを有する支持部と
を具備するヘッドマウントディスプレイ。
【請求項２】
請求項１に記載のヘッドマウントディスプレイであって、
前記バンド部材は、第１の合成樹脂材料で構成された第１の成形体を有し、
前記第１の配線部材は、前記第１の成形体にインサート成形されている
ヘッドマウントディスプレイ。
【請求項３】
請求項２に記載のヘッドマウントディスプレイであって、
前記バンド部材は、前記第１の合成樹脂材料よりも弾力性の高い第２の合成樹脂材料で構成され前記第１の成形体の少なくとも外周面を被覆する第２の成形体をさらに有する
ヘッドマウントディスプレイ。
【請求項４】
請求項３に記載のヘッドマウントディスプレイであって、
前記第２の成形体は、前記第１の成形体の外周面から前記第１の配線部材に到達する高さの複数の柱状部を有する
ヘッドマウントディスプレイ。
【請求項５】
請求項１に記載のヘッドマウントディスプレイであって、
前記第１の配線部材は、前記バンド部材の中立面よりも外周側に配置されている
ヘッドマウントディスプレイ。
【請求項６】
請求項１に記載のヘッドマウントディスプレイであって、
前記支持部は、前記バンド部材の内周面に配置された耳掛け部をさらに有する
ヘッドマウントディスプレイ。
【請求項７】
請求項６に記載のヘッドマウントディスプレイであって、
前記耳掛け部は、前記バンド部材の周方向にスライド可能に構成される
ヘッドマウントディスプレイ。
【請求項８】
請求項６に記載のヘッドマウントディスプレイであって、
前記耳掛け部は、
前記バンド部材に取り付けられる取付端部と、
前記取付端部に設けられ、前記バンド部材の径方向に変形可能に構成された帯状部と、を有する
ヘッドマウントディスプレイ。
【請求項９】
請求項１に記載のヘッドマウントディスプレイであって、
前記第１の表示部および前記第２の表示部を制御するコントローラをさらに具備し、
前記支持部は、前記バンド部材の内部に配置され前記第１の表示部を前記コントローラと電気的に接続する第２の配線部材をさらに有する
ヘッドマウントディスプレイ。
【請求項１０】
請求項９に記載のヘッドマウントディスプレイであって、
前記第２の配線部材は、前記バンド部材の内部に前記第１の配線部材よりも内周側に配置されている
ヘッドマウントディスプレイ。
【請求項１１】
請求項９に記載のヘッドマウントディスプレイであって、
前記バンド部材は、前記第２の配線部材が装着される溝部が設けられた底面部を有し、
前記支持部は、前記第２の配線部を支持し前記底面部に固定される支持体をさらに有する
ヘッドマウントディスプレイ。
【請求項１２】
ユーザの一方の眼に画像を提示可能な第１の表示部と、
ユーザの他方の眼に画像を提示可能な第２の表示部と、
前記第１の表示部と前記第２の表示部との間を相互に連結しユーザの頭部周囲に配置可能に湾曲して形成されたバンド部材と、前記バンド部材の内周面に配置された耳掛け部とを有する支持部と
を具備するヘッドマウントディスプレイ。
【発明の詳細な説明】
【技術分野】
【０００１】
本技術は、ユーザの頭部に装着して使用されるヘッドマウントディスプレイに関する。
【背景技術】
【０００２】
ユーザの頭部に装着され、眼前に配置されたディスプレイによってユーザ個人に画像を提示するように構成されたヘッドマウントディスプレイ（以下、ＨＭＤともいう。）が知られている。
【０００３】
近年、眼鏡型のＨＭＤが開発されている（例えば下記特許文献１参照）。眼鏡型のＨＭＤは、典型的には、ユーザの両眼に画像を提示可能な２つの表示部と、これら表示部を支持しユーザの頭部に装着可能に構成された一対のテンプル部とを備える。
【先行技術文献】
【特許文献】
【０００４】
【特許文献１】特開２０１３−１５０１１８号公報
【発明の概要】
【発明が解決しようとする課題】
【０００５】
眼鏡型のＨＭＤは、両テンプル部でユーザの側頭部を各々所定の力で押し当てる構造となっている。しかしながら、ユーザにとっては頭部の大きさが各々異なることから、あらゆるユーザに対して適正なフィット感を提供することは非常に困難である。
【０００６】
以上のような事情に鑑み、本技術の目的は、装着時の疲労感を低減しつつ、適正なフィット感を得ることができるヘッドマウントディスプレイを提供することにある。
【課題を解決するための手段】
【０００７】
以上の目的を達成するため、本技術の一形態に係るヘッドマウントディスプレイは、第１の表示部と、第２の表示部と、支持部とを具備する。
上記第１の表示部は、ユーザの一方の眼に画像を提示することが可能に構成される。
上記第２の表示部は、ユーザの他方の眼に画像を提示することが可能に構成される。
上記支持部は、バンド部材と、第１の配線部材とを有する。上記バンド部材は、上記第１の表示部と上記第２の表示部との間を相互に連結し、ユーザの頭部周囲に配置可能に湾曲して形成される。上記第１の配線部材は、上記バンド部材の内部に配置され、上記第１の表示部と上記第２の表示部との間を電気的に接続する。
【０００８】
上記ヘッドマウントディスプレイは、ユーザの頭部周囲に配置されるバンド部材を有する支持部を備えているため、ユーザの頭部へ押し当てる力を大きくすることなく安定して表示部をユーザの眼前に配置することができる。これにより装着時の疲労感を低減しつつ、適正なフィット感を得ることが可能となる。
【０００９】
また、第１の表示部と第２の表示部との間を電気的に接続する第１の配線部材がバンド部材の内部に配置されているため、第１および第２の表示部の薄型化あるいは軽量化を図ることが可能となる。これにより第１および第２の表示部の重厚化を抑制し、疲労感の少ない、良好な装着感を得ることができる。
【００１０】
上記バンド部材は、合成樹脂製の第１の成形体を有し、上記第１の配線部材は、上記第１の成形体にインサート成形されてもよい。
これにより第１の配線部材はバンド部材に一体的に保持される。
【００１１】
上記バンド部材は、第２の成形体をさらに有してもよい。上記第２の成形体は、上記合成樹脂よりも弾力性の高い材料で構成され、上記第１の成形体の少なくとも外周面を被覆する。
これによりバンド部材の拡径方向への変形が容易となるとともに、当該変形時において第１の配線部材に加わる応力を緩和することができる。また支持部の触感が向上し、デザイン性が高められる。
【００１２】
上記第２の成形体は、上記第１の成形体の外周面から上記第１の配線部材に到達する高さの複数の柱状部を有してもよい。
これにより第２の成形体が有する弾力性を利用して、第１の配線部材に加わる応力を緩和することが可能となる。
【００１３】
上記第１の配線部材は、上記バンド部材の中立面よりも外周側に配置されてもよい。
これによりバンド部材の拡径方向への変形時に、第１の配線部材に引張り応力が加わることを防止し、第１の配線部材の保護を図ることができる。
【００１４】
上記支持部は、上記バンド部材の内周面に配置された耳掛け部をさらに有してもよい。
これにより安定した装着感を得ることができる。またユーザ頭部に対する耳掛け部による押し当て力を低減できるため、表示部に作用する上記押し当て反力をも低減でき、これにより表示画像の輻輳ずれを防止することができる。
【００１５】
上記耳掛け部は、上記バンド部材の周方向にスライド可能に構成されてもよい。
これにより耳掛け部の位置を調整することができるため、あらゆるユーザに対して適正なフィット感を提供することが可能となる。
【００１６】
上記耳掛け部は、上記バンド部材に取り付けられる取付端部と、上記取付端部に設けられ上記バンド部材の径方向に変形可能に構成された帯状部と、を有してもよい。
【００１７】
上記ヘッドマウントディスプレイは、上記第１の表示部および上記第２の表示部を制御するコントローラをさらに具備してもよい。この場合、上記支持部は、第２の配線部材をさらに有する。上記第２の配線部材は、上記バンド部材の内部に配置され、上記第１の表示部を上記コントローラと電気的に接続する。
第２の配線部材は、典型的には、バンド部材の周方向の少なくとも一部の領域に内蔵される。
【００１８】
上記第２の配線部材は、上記バンド部材の内部に上記第１の配線部材よりも内周側に配置されてもよい。
これにより第１の配線部材の設置スペースを確保しつつ、第２の配線部材をバンド部材の内部に格納することができる。
【００１９】
上記バンド部材は、上記第２の配線部材が装着される溝部が設けられた底面部を有し、上記支持部は、上記第２の配線部を支持し上記底面部に固定される支持体をさらに有してもよい。
これによりバンド部材の作製後、当該バンド部材に第２の配線部材を容易に組み込むことができる。
【００２０】
本技術の他の形態に係るヘッドマウントディスプレイは、第１の表示部と、第２の表示部と、支持部とを具備する。
上記第１の表示部は、ユーザの一方の眼に画像を提示することが可能に構成される。
上記第２の表示部は、ユーザの他方の眼に画像を提示することが可能に構成される。
上記支持部は、バンド部材と、耳掛け部とを有する。上記バンド部材は、上記第１の表示部と上記第２の表示部との間を相互に連結し、ユーザの頭部周囲に配置可能に湾曲して形成される。上記耳掛け部は、上記バンド部材の内周面に配置される。
【００２１】
上記ヘッドマウントディスプレイによれば、装着時の疲労感を低減しつつ、適正かつ安定したフィット感を得ることが可能となる。また、ユーザ頭部に対する耳掛け部による押し当て力を低減できるため、表示部に作用する上記押し当て反力をも低減でき、これにより表示画像の輻輳ずれを防止することができる。
【発明の効果】
【００２２】
以上のように、本技術によれば、装着時の疲労感を低減しつつ、適正なフィット感を得ることができる。
なお、ここに記載された効果は必ずしも限定されるものではなく、本開示中に記載されたいずれかの効果であってもよい。
【図面の簡単な説明】
【００２３】
【図１】本技術の一実施形態に係るヘッドマウントディスプレイを示す全体斜視図である。
【図２】図１におけるＡ−Ａ線に沿った概略断面図である。
【図３】図１におけるＢ−Ｂ線に沿った概略断面図である。
【図４Ａ】上記ヘッドマウントディスプレイにおけるバンド部材の成形工程の一例を説明する金型の概略平面図である。
【図４Ｂ】上記ヘッドマウントディスプレイにおけるバンド部材の成形工程の一例を説明する金型の概略平面図である。
【図５Ａ】上記ヘッドマウントディスプレイにおける一方の耳掛け部材を示す側面図である。
【図５Ｂ】上記耳掛け部材の上面図である。
【図５Ｃ】上記耳掛け部材の背面図である。
【図６】上記耳掛け部材が取り付けられるバンド部材の要部の概略側断面図である。
【発明を実施するための形態】
【００２４】
以下、本技術に係る実施形態を、図面を参照しながら説明する。
【００２５】
図１は本技術の一実施形態に係るヘッドマウントディスプレイを示す全体斜視図である。各図においてＸ、ＹおよびＺ軸は相互に直交する３軸方向であって、Ｘ軸は左右方向を、Ｙ軸は高さ（上下）方向を、そしてＺ軸は前後方向をそれぞれ示している。
【００２６】
［ヘッドマウントディスプレイの構成］
本実施形態のヘッドマウントディスプレイ１００は、表示部１０と、支持部２０とを有し、全体として概ね環状に形成される。
【００２７】
表示部１０は、第１の表示部１１と、第２の表示部１２と、連結部１３とを有する。支持部２０は、ユーザの頭部周囲に配置可能に、第１の表示部１１と第２の表示部１２との間に湾曲して形成されている。
【００２８】
（表示部）
第１の表示部１１は、第１の表示板１１１と、第１の表示板１１１へ画像を投影する第１の光学ユニット１１２とを有する。同様に、第２の表示部１２は、第２の表示板１２１と、第２の表示板１２１へ画像を投影する第２の光学ユニット１２２とを有する。
【００２９】
第１及び第２の表示板１１１，１２１は、ユーザの眼前に配置され、ユーザに提示される画像を表示することが可能に構成される。第１及び第２の表示板１１１，１２１はそれぞれ、第１及び第２の光学ユニット１１２，１２２から投影される画像をユーザの左眼および右眼へ出射することが可能な透光性の導光板で構成される。すなわち第１の表示板１１１は左眼用画像を表示し、第２の表示板１２１は右眼用画像を表示する。第１及び第２の表示部１１，１２によってユーザへ提示される画像は、２Ｄ画像であってもよいし、３Ｄ画像であってもよい。
【００３０】
第１及び第２の光学ユニット１１２，１２２は、第１及び第２の表示板１１１，１２１にそれぞれ固定される。第１及び第２の光学ユニット１１２，１２２の構造は、第１及び第２の表示板１１１，１２１へ画像を投影できる構成であれば特に限定されない。典型的には、画像形成素子と、画像形成素子で形成された画像を第１及び第２の表示板１１１，１２１へ投影する光学レンズと、これらを収容するキャビネット等を有する。画像形成素子として液晶パネルが用いられてもよいし、ＬＥＤやＥＬ素子等の自発光パネルが用いられてもよい。
【００３１】
第１の表示板１１１および第２の表示板１２１は、連結部１３を介して相互に連結される。連結部１３は、第１及び第２の表示板１１１，１２１がそれぞれ、Ｘ，ＹおよびＺ軸各々に関して所定の角度関係となるように両者間を連結する。連結部１３の内周側には、図示せずともノーズパッドが取り付けられている。
【００３２】
（支持部）
支持部２０は、第１の表示部１１と第２の表示部１２との間を機械的および電気的に接続する。図２は、図１におけるＡ−Ａ線断面図、図３は、図１におけるＢ−Ｂ線断面図である。
【００３３】
（バンド部材、第１の配線部材）
支持部２０は、バンド部材２１と、第１の配線部材２２とを有する。
【００３４】
バンド部材２１は、支持部２０の芯材として構成され、第１の表示部１１と連結される第１の端部２１１と、第２の表示部１２と連結される第２の端部２１２とを有する。バンド部材２１は、第１の表示部１１と第２の表示部１２との間を相互に連結し、ユーザの頭部周囲に配置可能に湾曲して形成される。
【００３５】
バンド部材２１は、第１の成形体２１３と第２の成形体２１４との二色成形体で構成される。
【００３６】
第１の成形体２１３は、合成樹脂材料（第１の合成樹脂材料）の射出成形体で構成される。第１の成形体２１３は、Ｙ軸まわりに湾曲して形成される。第１の成形体２１３は、断面略矩形状に形成され、外周面２１３ａと、内周面２１３ｂと、頂面（上面）２１３ｃと、底面（下面）２１３ｄとを有する。第１の成形体２１３の厚み（外周面２１３ａと内周面２１３ｂとの距離に相当する寸法）は特に限定されず、例えば、３ｍｍ〜５ｍｍである。
【００３７】
第１の成形体２１３を構成する樹脂材料には、弾性率が低く靭性が高い材料、あるいは低脆性で高粘性の材料が用いられ、例えば、ポリアミド系樹脂が用いられる。これにより、バンド部材２１に加わる外力（引張り応力、曲げ応力、ねじり応力等）に対する耐久性を高めることができる。
【００３８】
第１の配線部材２２は、第１の光学ユニット１１２と第２の光学ユニット１２２との間を電気的に接続するフレキシブル配線基板で構成される。第１の配線部材２２は、第１の成形体２１３にインサート成形されることで、第１の成形体２１３の内部に埋設される。これにより第１の配線部材２２は、バンド部材２１に一体的に保持される。
【００３９】
図２および図３に示すように、第１の配線部材２２は、バンド部材２１の中立面Ｎよりも外周側に配置されている。中立面Ｎは、バンド部材２１をＹ軸まわりに曲げ変形させたときにその変形前後で長手方向（バンド部材２１の周方向）に伸縮しない面をいう。したがって第１の配線部材２２が中立面Ｎよりも外周側に配置されることで、バンド部材２１の拡径方向への変形時に、第１の配線部材２２に引張り応力が加わることが防止される。これにより第１の配線部材２２の保護を図ることができる。
【００４０】
第２の成形体２１４は、合成樹脂材料（第２の合成樹脂材料）の射出成形体で構成され、第１の成形体２１３の少なくとも外周面２１３ａを被覆する。第２の成形体２１４を構成する樹脂材料としては、第１の成形体２１３を構成する合成樹脂材料との密着性が高く、当該合成樹脂材料よりも弾力性に優れた（弾性率の低い）材料であれば特に限定されず、例えば、シリコーンゴム、フッ素系樹脂等のエラストマ材料等が適用される。これによりバンド部材２１の拡径方向への変形が容易となるとともに、当該変形時において第１の配線部材２２に加わる応力を緩和することができる。
【００４１】
本実施形態において、第２の成形体２１４は、第１の成形体２１３の外周面２１３ａ、頂面２１３ｃおよび底面２１３ｄを各々被覆するように形成される。これによりバンド部材２１の触感が向上するとともに、デザイン性が高められることで高級感を出すことができる。第２の成形体２１４の厚み（被覆厚）は特に限定されず、例えば、０．５ｍｍ〜２ｍｍである。
【００４２】
第１の成形体２１３の外周面２１３ａには、第１の配線部材２１の表面に達する深さの複数の孔２１３ｈが形成されている。複数の孔２１３ｈは、第１の成形体２１３の長手方向（周方向）に沿って所定の間隔をおいて形成されている。
【００４３】
一方、第２の成形体２１４は、第１の成形体２１３の外周面２１３ａに対向する内周面に設けられた複数の柱状部２１４ｐを有する。複数の柱状部２１４ｐは、第２の成形体２１４を構成する樹脂材料が複数の孔２１３ｈに充填されてなり、第１の成形体２１３の外周面２１３ａから第１の配線部材２２に到達する高さで形成される。これにより第２の成形体２１４が有する弾力性を利用して、第１の配線部材２２に加わる応力（例えば落下衝撃）を緩和することが可能となる。
【００４４】
図４Ａおよび図４Ｂは、バンド部材２１の成形工程の一例を説明する金型の概略平面図である。
【００４５】
第１の配線部材２２は、第１の成形体２１３を成形する金型１０１ａ，１０ａｂ内のキャビティＣ１に配置される。この際、図４Ａに示すように、キャビティＣ１における第１の配線部材２２の姿勢を安定に保持するため、キャビティＣ１の外周面を形成する金型１０１ａには複数の保持片１０１ｃが挿入される。複数の保持片１０１ｃは、金型１０１ａからキャビティＣ１内に進入し、第１の配線部材２２と接触する。本実施形態では複数の保持片１０１ｂを中空部材で構成し、内部を外部の真空ポンプで排気可能に構成される。これにより複数の保持片１０１ｃの先端部で第１の配線部材２２を吸着できるため、キャビティＣ１内に上記第１の合成樹脂材料が射出された際、第１の配線部材２２の姿勢がキャビティＣ１内に安定に保持される。
【００４６】
以上のようにして、外周面２１３ａに複数の孔２１３ｈが形成された第１の成形体２１３が形成される。その後、第１の成形体２１３は、図４Ｂに示すように、第２の成形体２１４を成形する金型１０２ａ，１０２ｂ内のキャビティＣ２に配置される。そして、キャビティＣ２内に上記第２の合成樹脂材料が充填されることで、複数の柱状部２１４ｐを有する第２の成形体２１４が成形される（図２、図３参照）。このとき各孔２１３ｈは第２の合成樹脂材料によって封止されるため、外部からの水分等の侵入が防止される。
【００４７】
（耳掛け部）
支持部２０は、バンド部材２１の内周面に配置された耳掛け部を有する。当該耳掛け部は、バンド部材２１の内周面に各々配置された一対の耳掛け部材３０１，３０２で構成される。これによりヘッドマウントディスプレイ１００の安定した装着感を得ることができる。
【００４８】
耳掛け部材３０１，３０２はそれぞれ左右対称に構成されており、ユーザの左耳および右耳にそれぞれフィットする形状を有する。図５Ａ、図５Ｂ及び図５Ｃは、右耳用の耳掛け部材３０２の一構成例を示す側面図、上面図および背面図である。
【００４９】
耳掛け部材３０１，３０２は、バンド部材２１に取り付けられる取付端部３１と、取付端部３１に設けられた帯状部３２とを有する。
【００５０】
取付端部３１は、バンド部材２１の周方向を長手方向とする板状部品で構成される。取付端部３１の一方の主面には、取付端部３１の周囲に沿ってリブ３１０が形成され、リブ３１０の両長辺部にはＹ軸方向に対向する一対の係合爪３１０ａ，３１０ｂが設けられている。リブ３１０は、第１の成形体２１３の内周面２１３ｂに形成された係合部２１３ｅを包囲し、一対の係合爪３１０ａ，３１０ｂによって係合部２１３ｅを挟持する。
【００５１】
ここで、係合部２１３ｅは、バンド部材２１の両端部２１１，２１２の近傍にそれぞれ設けられる。すなわち係合部２１３ｅは、バンド部材２１の高さ方向中央部にバンド部材２１の周方向に沿って所定の長さにわたって形成される。係合部２１３ｅは、第１の成形体２１３の内周面２１３ｂと一体的に、内周面２１３ｂから所定の厚みで突出形成されている。係合部２１３ｅのＹ軸方向に対向する両側面部には、一対の係合爪３１０ａ，３１０ｂが係合する係合溝がそれぞれ設けられている。これにより耳掛け部材３０１，３０２は、バンド部材２１の周方向に沿ってスライド可能に構成される。
【００５２】
図６は、係合部２１３ｅの概略側断面図である。係合爪３１０ａに対向する係合部２１３ｅの表面Ｓ１には、長手方向に沿って複数のノッチＳ１ｖが設けられている。一方、係合爪３１０ａは、個々のノッチＳ１ｖに係合可能な突起３１１を有する。これにより、耳掛け部材３０１，３０２は、係合部２１３ｅに対する所定の位置決め機能を確保しつつ、バンド部材２１に対してスライド可能に構成される。
【００５３】
一方、帯状部３２は、取付端部３１に固定される第１の端部３２１と、自由端である第２の端部３２２とを有し、バンド部材２１の径方向に変形可能に構成される。
【００５４】
帯状部３２は、ユーザの側頭部に対向する主面３２３を有する。帯状部３２は、主面３２３が第１の端部３２１側においては上方を向き、第２の端部３２２側では側方を向くように捩じられ、かつ、第１の端部３２１から第２の端部３２２に向かって下方へＺ軸まわりに若干湾曲して形成される。Ｘ軸、Ｙ軸及びＺ軸方向から見たときの取付端部３１と帯状部３２とのなす角は、それぞれ略３０°〜５０°程度とされる。これによりユーザが下を向いたときのヘッドマウントディスプレイ１００の自重によるずり落ちを防止することができる。
【００５５】
帯状部３２の厚みは、第１の端部３２１側の方が第２の端部３２２側よりも薄く形成され、主面部３２３の幅は、第１の端部３２１側の方が第２の端部３２２側よりも広く形成されている。これにより帯状部３２は、バンド部材２１に接近する方向（Ｘ軸方向）への弾性変形が容易となり、当該方向を軸心とする回転方向（Ｘ軸まわり）への変形が規制される。したがって、ヘッドマウントディスプレイ１００の装着時、ユーザの側頭部に加わる耳掛け部材３０１，３０２の側圧を低減しつつ、運動時あるいは顔を下に向けたときのヘッドマウントディスプレイ１００の自重によるずり落ちを阻止することができる。
【００５６】
ヘッドマウントディスプレイ１００がユーザの頭部に装着されると、帯状部３２は、その主面３２３がユーザの側頭部に軽く押し当てられた状態で、ユーザの耳（耳介）の上部から後部に掛け渡される。帯状部３２による上記押し当て力は、１Ｎ以下とされ、好ましくは０．５Ｎ以下とされる。
【００５７】
これによりユーザ頭部に対する押し当て力を低減できるため、適正なフィット感を提供しつつ、長時間の使用による疲労感の増加を低減することができる。また、表示部１０に作用する上記押し当て反力をも低減できるため、表示部１０における表示画像の輻輳ずれを防止することができる。
【００５８】
耳掛け部材３０１，３０２は、合成樹脂材料の射出成形体で構成される。耳掛け部材３０１，３０２を構成する合成樹脂材料は特に限定されず、本実施形態では適度な弾性と高い靭性を有する樹脂材料、例えばポリアミド系樹脂が用いられる。
【００５９】
耳掛け部材３０１，３０２は、単一の樹脂材料で構成される例に限られず、バンド部材２１と同様な二色成形体で構成されてもよい。本実施形態では、帯状部３２の表面は、シリコーンゴム、フッ素系樹脂等のエラストマ材料で表面が被覆されている。これにより装着感のさらなる向上を図ることができる。
【００６０】
（コントローラ、第２の配線部材）
ヘッドマウントディスプレイ１００は、コントローラ５０を備える。コントローラ５０は、表示部１０の動作を制御するためのものである。コントローラ５０は、ヘッドマウントディスプレイ１００の専用機器であってもよいし、携帯情報端末やスマートフォン等の汎用の電子機器であってもよい。コントローラ５０は、典型的には、表示部１０に表示される画像信号を表示部１０へ送信する、あるいは、ユーザの入力操作に応じた画像制御信号を生成し表示部１０へ送信するといった種々の機能を有する。
【００６１】
支持部２０は、第２の配線部材２３をさらに有する。第２の配線部材２３は、バンド部材２１の内部に配置され、第１の表示部１１（第１の光学ユニット１１２）をコントローラ５０と電気的に接続する。第２の配線部材２３には、例えば扁平なインターフェースケーブルが用いられる。
【００６２】
コントローラ５０は、第２の配線部材２３を介して第１の光学ユニット１１２へ右眼用および左眼用の画像信号を伝送する。左眼用画像信号は、第１の光学ユニット１１２によって第１の表示板１１１へ投影される。一方、右眼用画像信号は、第１の配線部材２２を介して第２の光学ユニット１２２へ伝送され、第２の光学ユニット１２２によって第２の表示板１２１へ投影される。
【００６３】
第２の配線部材２３は、バンド部材２１の周方向の少なくとも一部の領域に内蔵される。本実施形態では、バンド部材２１の第１の端部２１１側から耳掛け部材３０１の後方側の領域にわたって、第２の配線部材２３が格納される。
【００６４】
第２の配線部材２３は、バンド部材２１を構成する第１の成形体２１３の内部に配置される。本実施形態において第２の配線部材２３は、バンド部材２１の内部に第１の配線部材２２よりも内周側に配置される。これにより第１の配線部材２２の設置スペースを確保しつつ、第２の配線部材２３をバンド部材の内部に格納することができる。
【００６５】
図２に示すように第１の成形体２１３は、第２の配線部材２３が装着される溝部２１３ｇを有する。溝部２１３ｇは、第１の成形体２１３の底面２１３ｄの略中央部に設けられる。溝部２１３ｇの深さは、第２の配線部材２３を収容できる程度の大きさとされる。第１の成形体２１３は、溝部２１３ｇを挟んで対向する外周面２１３ａ側の第１の領域Ｍ１と、その内周面２１３ｂ側の第２の領域Ｍ２とを有し、第１の配線部材２２は第１の領域Ｍ１に埋設される。
【００６６】
第１および第２の領域Ｍ１，Ｍ２の厚み（幅）は特に限定されず、例えば１ｍｍ〜２ｍｍ程度とされる。
【００６７】
支持部２０は、第２の配線部材２３を支持する支持体２４を有する。支持体２４は、例えば合成樹脂材料の射出成形体で構成され、第２の配線部材２３を支持した状態で第１の成形体２１３の底面２１３ｄに固定される。これによりバンド部材の作製後、当該バンド部材に第２の配線部材を容易に組み込むことができる。
【００６８】
支持体２４は、溝部２１３ｇの所定位置に係合する係合突起２４０を有し、第１の成形体２１３に対して安定に保持される。底面２１３ｄを被覆する第２の成形体２１４は、底面２１３ｄに固定された支持体２４の周囲を被覆する。
【００６９】
第２の配線部材２３の一端は、第１の光学ユニット１１２へ接続される。一方、第２の配線部材２３の他端は、バンド部材２１の底面部から外部へ引き出され、コントローラ５０へ接続される。バンド部材２１からの第２の配線部材２３の引き出し位置は特に限定されないが、本実施形態では耳掛け部材３０１の取付領域よりも後方側とされる。これにより第２の配線部材２３をユーザの視界の外におくことができるため、第２の配線部材２３の存在によって画像の視認性が阻害されることを防止することができる。
【００７０】
［ヘッドマウントディスプレイの作用］
以上のように構成される本実施形態のヘッドマウントディスプレイ１００は、ユーザの頭部に装着されて使用される。典型的には、バンド部材２１の少なくとも一部は、ユーザの頭部あるいは頭髪に接触することで、ユーザの頭部に装着される。あるいは、耳掛け部３０１，３０２のみで支持部２０を頭部に支持することも可能であり、この場合、バンド部材２１は頭部に非接触であってもよい。
【００７１】
本実施形態によれば、ユーザの頭部へ押し当てる力を大きくすることなく安定して表示部１０をユーザの眼前に配置することができる。これにより装着時の疲労感を低減しつつ、適正なフィット感を得ることが可能となる。
【００７２】
また、第１の表示部１１と第２の表示部１２との間を電気的に接続する第１の配線部材２２がバンド部材２１の内部に配置されているため、第１および第２の表示部１１，１２の薄型化あるいは軽量化を図ることが可能となる。これにより第１および第２の表示部１１，１２の重厚化を抑制し、疲労感の少ない、良好な装着感を得ることができる。
【００７３】
さらに本実施形態のヘッドマウントディスプレイ１００は、耳掛け部材３０１，３０２を備えているため、安定した装着感を確保することができる。しかも、バンド部材２１と併用されることで、従来の眼鏡型のヘッドマウントディスプレイと比較して、側頭部への耳掛け部材３０１，３０２の押し当て力を小さくすることができ、これによりユーザが受けるストレスを低減して、装着性を高めることができる。
【００７４】
さらに、耳掛け部材３０１，３０２は、バンド部材２１に対して弾性変形可能に構成されているため、押し当て力の反力がバンド部材２１を介して表示部１０へ伝播することが抑制される。これにより第１および第２の表示部１１，１２において表示される画像の輻輳ずれを防止することができる。
【００７５】
本字氏形態において、耳掛け部材３０１，３０２の帯状部３２は、耳の上部から後部へ回り込むように形成されているため、運動時あるいは顔を下に向けたときもヘッドマウントディスプレイの重量を耳の後ろで支えることが可能となる。これにより耳掛け部材３０１，３０２の側圧を小さくしても安定した装着感を確保することができる。
【００７６】
そして、耳掛け部材３０１，３０２は、バンド部材２１の周方向に沿ってそれぞれスライド可能に構成されているため、ユーザの頭部の大きさに応じて最適な位置に調整でき、あらゆるユーザに対して適正な装着性を提供することができる。
【００７７】
さらにヘッドマウントディスプレイ１００の非使用時は、ヘッドマウントディスプレイ１００をユーザの首に掛けて携行することができる。
【００７８】
以上、本技術の実施形態について説明したが、本技術は上述の実施形態にのみ限定されるものではなく、本技術の要旨を逸脱しない範囲内において種々変更を加え得ることは勿論である。
【００７９】
例えば以上の実施形態では、第１の配線部材２２は、インサート成形によりバンド部材２１の内部に配置されたが、これに限られない。例えば、第２の配線部材２３の配置形態と同様に、バンド部材２１の所定位置に第１の配線部材２２を収容するための溝をあらかじめ形成し、当該溝に第１の配線部材２２が収容されてもよい。
【００８０】
第１の配線部材２２は、バンド部材２１の内部に配置される例に限られない。例えば、第１の配線部材２２は第１の表示部１２と第２の表示部１２との間を連結する連結部１３に内蔵されてもよい。
【００８１】
バンド部材２１は、第１の成形体２１３と第２の成形体２１４との二色成形体で構成されが、これに限られず、第１の成形体２１３のみで構成されてもよい。
【００８２】
また以上の実施形態では、第１の表示部１１と第２の表示部１２とが連結部１３を介して一体的に連結されるように構成されたが、これに限られず、第１の表示部１１と第２の表示部１２とが連結部１３を介して分割可能に構成されてもよい。分割構造は特に限定されず、機械的な係合機構、磁気的な吸着機構あるいはこれらの組み合わせ等であってもよい。
【００８３】
上述のように連結部１３が分割構造を有することにより、非使用時におけるヘッドマウントディスプレイの首掛け操作が容易となる。またバンド部材は、拡径方向への変形が容易に構成されることで、表示部の分割操作を容易に行うことが可能となる。
【００８４】
なお、本技術は以下のような構成もとることができる。
（１）ユーザの一方の眼に画像を提示可能な第１の表示部と、
ユーザの他方の眼に画像を提示可能な第２の表示部と、
前記第１の表示部と前記第２の表示部との間を相互に連結しユーザの頭部周囲に配置可能に湾曲して形成されたバンド部材と、前記バンド部材の内部に配置され前記第１の表示部と前記第２の表示部との間を電気的に接続する第１の配線部材とを有する支持部と
を具備するヘッドマウントディスプレイ。
（２）上記（１）に記載のヘッドマウントディスプレイであって、
前記バンド部材は、第１の合成樹脂材料で構成された第１の成形体を有し、
前記第１の配線部材は、前記第１の成形体にインサート成形されている
ヘッドマウントディスプレイ。
（３）上記（２）に記載のヘッドマウントディスプレイであって、
前記バンド部材は、前記第１の合成樹脂材料よりも弾力性の高い第２の合成樹脂材料で構成され前記第１の成形体の少なくとも外周面を被覆する第２の成形体をさらに有する
ヘッドマウントディスプレイ。
（４）上記（３）に記載のヘッドマウントディスプレイであって、
前記第２の成形体は、前記第１の成形体の外周面から前記第１の配線部材に到達する高さの複数の柱状部を有する
ヘッドマウントディスプレイ。
（５）上記（１）〜（４）のいずれか１つに記載のヘッドマウントディスプレイであって、
前記第１の配線部材は、前記バンド部材の中立面よりも外周側に配置されている
ヘッドマウントディスプレイ。
（６）上記（１）〜（５）のいずれか１つに記載のヘッドマウントディスプレイであって、
前記支持部は、前記バンド部材の内周面に配置された耳掛け部をさらに有する
ヘッドマウントディスプレイ。
（７）上記（６）に記載のヘッドマウントディスプレイであって、
前記耳掛け部は、前記バンド部材の周方向にスライド可能に構成される
ヘッドマウントディスプレイ。
（８）上記（６）または（７）に記載のヘッドマウントディスプレイであって、
前記耳掛け部は、
前記バンド部材に取り付けられる取付端部と、
前記取付端部に設けられ、前記バンド部材の径方向に変形可能に構成された帯状部と、を有する
ヘッドマウントディスプレイ。
（９）上記（１）〜（８）のいずれか１つに記載のヘッドマウントディスプレイであって、
前記第１の表示部および前記第２の表示部を制御するコントローラをさらに具備し、
前記支持部は、前記バンド部材の内部に配置され前記第１の表示部を前記コントローラと電気的に接続する第２の配線部材をさらに有する
ヘッドマウントディスプレイ。
（１０）上記（９）に記載のヘッドマウントディスプレイであって、
前記第２の配線部材は、前記バンド部材の内部に前記第１の配線部材よりも内周側に配置されている
ヘッドマウントディスプレイ。
（１１）上記（９）または（１０）に記載のヘッドマウントディスプレイであって、
前記バンド部材は、前記第２の配線部材が装着される溝部が設けられた底面部を有し、
前記支持部は、前記第２の配線部を支持し前記底面部に固定される支持体をさらに有する
ヘッドマウントディスプレイ。
【符号の説明】
【００８５】
１１…第１の表示部
１２…第２の表示部
２０…支持部
２１…バンド部材
２２…第１の配線部材
２３…第２の配線部材
２４…支持体
３１…取付端部
３２…帯状部
５０…コントローラ
１００…ヘッドマウントディスプレイ
２１３…第１の成形体
２１４…第２の成形体
２１４ｐ…柱状部
３０１，３０２…耳掛け部材
【図１】
2015126397.tif 000003
【図２】
2015126397.tif 000004
【図３】
2015126397.tif 000005
【図４Ａ】
2015126397.tif 000006
【図４Ｂ】
2015126397.tif 000007
【図５Ａ】
2015126397.tif 000008
【図５Ｂ】
2015126397.tif 000009
【図５Ｃ】
2015126397.tif 000010
【図６】
2015126397.tif 000011